(57)【要約】【課題】異なる機種間で共通化されたマザーボードを実装する作業時において、ＢＩＯＳ設定を手作業により機種毎に行なう必要をなくす。【解決手段】電子装置に関する設定処理を行なうための設定情報を保存する設定情報保存部１３と、電子装置の機種を特定可能な識別情報を取得可能な識別情報取得部１１１と、電子装置の機種に応じて設定情報を変更するための変更情報を保存する変更情報保存部１３と、識別情報と変更情報とに基づいて設定情報をマザーボードが取り付けられた電子装置の機種に応じて変更する設定情報変更部１１２と、設定情報変更部１１２によって変更された設定情報に基づいて、電子装置に関する設定処理を行なう設定処理部１１３とをそなえて構成する。【選択図】図１
2008186261.tif 000002
【特許請求の範囲】
【請求項１】
構成が異なる複数の機種の電子装置のそれぞれに接続可能に構成されたマザーボードであって、
該電子装置に関する設定処理を行なうための設定情報を保存する設定情報保存部と、
該電子装置の機種を特定可能な識別情報を取得可能な識別情報取得部と、
該電子装置の機種に応じて該設定情報を変更するための変更情報を保存する変更情報保存部と、
該識別情報取得部によって取得された該識別情報と、該変更情報保存部に保存された該変更情報とに基づいて、該設定情報保存部に保存された設定情報を、当該マザーボードが取り付けられた該電子装置の機種に応じて変更する設定情報変更部と、
該設定情報変更部によって変更された該設定情報に基づいて、該電子装置に関する該設定処理を行なう設定処理部とをそなえることを特徴とする、マザーボード。
【請求項２】
装置本体と、該装置本体に取り付け可能に構成されるとともに、当該情報処理装置とは構成が異なる他の機種の情報処理装置の装置本体に対しても取り付け可能なマザーボードとをそなえた情報処理装置であって、
該情報処理装置の機種を特定可能な識別情報を保持する識別情報保持部をそなえるとともに、
該マザーボードが、
該装置本体に取り付けられた状態で、該識別情報保持部から該識別情報を取得可能な識別情報取得部と、
該情報処理装置の機種に応じて該設定情報を変更するための変更情報を保存する変更情報保存部と、
該識別情報取得部によって取得された該識別情報と、該変更情報保存部に保存された該変更情報とに基づいて、該設定情報保存部に保存された設定情報を、当該マザーボードが取り付けられた該情報処理装置の機種に応じて変更する設定情報変更部と、
該設定情報変更部によって変更された該設定情報に基づいて、該情報処理装置に関する該設定処理を行なう設定処理部とをそなえることを特徴とする、情報処理装置。
【請求項３】
装置本体と、該装置本体に取り付け可能に構成されるとともに、互いに構成が異なる複数の機種の情報処理装置の装置本体に対しても取り付け可能に構成されたマザーボードとをそなえて構成された情報処理装置における設定方法であって、
該情報処理装置の機種を特定可能な識別情報を取得する識別情報取得ステップと、
該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、
該設定情報変更ステップにおいて変更された該設定情報に基づいて、該情報処理装置に関する該設定処理を行なう設定処理ステップとをそなえることを特徴とする、設定方法。
【請求項４】
装置本体と、該装置本体に取り付け可能に構成されるとともに、互いに構成が異なる複数の機種の情報処理装置の装置本体に対しても取り付け可能に構成されたマザーボードとをそなえて構成されたコンピュータに、設定機能を実行させるための設定プログラムであって、
該情報処理装置の機種を特定可能な識別情報を取得する識別情報取得ステップと、
該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、
該設定情報変更ステップにおいて変更された該設定情報に基づいて、該情報処理装置に関する該設定処理を行なう設定処理ステップとを、該コンピュータに実行させることを特徴とする、設定プログラム。
【請求項５】
装置本体と、該装置本体に取り付け可能に構成されるとともに、互いに構成が異なる複数の機種の情報処理装置に対しても取り付け可能に構成されたマザーボードとをそなえて構成されたコンピュータに、設定機能を実行させるための設定プログラムを記録したコンピュータ読取可能な記録媒体であって、
該設定プログラムが、
該情報処理装置の機種を特定可能な識別情報を取得する識別情報取得ステップと、
該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、
該設定情報変更ステップにおいて変更された該設定情報に基づいて、該情報処理装置に関する該設定処理を行なう設定処理ステップとを、該コンピュータに実行させることを特徴とする、設定プログラムを記録したコンピュータ読取可能な記録媒体。
【発明の詳細な説明】
【技術分野】
【０００１】
本発明は、例えばＰＯＳ端末等の情報処理装置の起動時の設定手法に関し、構成が異なる複数種類の情報処理装置間において共通化されたマザーボードを、情報処理装置へ取り付ける際に用いて好適な設定手法に関する。
【背景技術】
【０００２】
一般に、ＰＯＳ（Point Of Sales）システムに用いられるＰＯＳ端末の設計・製造においては、製造コストの低減等を目的として、異なる機種間で部品を共通化させることがある。例えば、下記特許文献１には、異なる機種の商品販売データ処理装置間で部品を共通化させることにより、製造コストを低減するとともに、組み立て作業を容易化する技術が開示されている。
【０００３】
また、ＰＯＳ端末は、一般的に、プロセッサ等を搭載したマザーボードを脱着可能に構成されており、このマザーボードを異なる機種間で共通素材として用いる場合もある。
【特許文献１】特開２００６−１５５５１５号公報
【発明の開示】
【発明が解決しようとする課題】
【０００４】
しかしながら、マザーボードを異なる機種間で共通化して使用する場合には、そのシステム構成に合わせて、マザーボードにおけるＢＩＯＳ（Basic Input Output System）設定の変更が必要となる場合がある。
図１４〜図１６はそれぞれＰＯＳ端末の外観を示す斜視図であり、図１４は一体型のＰＯＳ端末２０１ａの外観を示す斜視図、図１５，図１６はいずれも分離型のＰＯＳ端末２０１ｂの外観を示す斜視図である。なお、図１５は分離型のＰＯＳ端末２０１ｂをディスプレイ側から、図１６は図１５に示す分離型のＰＯＳ端末２０１ｂをその反対側からそれぞれ見た図である。
【０００５】
図１４に示すＰＯＳ端末２０１ａは、マザーボード２０２，電源ユニット２０３，冷却ファン２０５および温度センサ２０４をそなえて構成され、電源ユニット２０３とマザーボード２０２とが同一の筐体２０６に搭載された一体型として構成されている。
温度センサ２０４はマザーボード２０２に搭載されたＣＰＵ（図示省略）の温度を測定するものであり、冷却ファン２０５は、装置から排気を行ない、又、別に設けられた吸気口より吸気することによりＣＰＵを含むマザーボード２０２，電源ユニット２０３を含む装置筐体内の冷却を行なう。
【０００６】
そして、このＰＯＳ端末２０１ａにおいては、マザーボード２０２等にそなえられた、温度センサ２０４によりＣＰＵの温度を測定し、この温度センサ２０４による測定結果に基づいて冷却ファン２０５の制御を行なうことにより、ＣＰＵの温度が所定値以上にならないよう制御が行なわれるようになっている。
そして、このＰＯＳ端末２０１ａにおいては、ＣＰＵの温度が高温の時に冷却ファン２０５を高速回転させることでＣＰＵの冷却も行なわれるのである。
【０００７】
図１５および図１６に示すＰＯＳ端末２０１ｂは、ＰＯＳ端末２０１ａとは異なる機種であって、第１筐体２０６−１と第２筐体２０６−２との２つの筐体を連結して構成されるとともに、マザーボード２０２，電源ユニット２０３，冷却ファン２０５−１，２０５−２，温度センサ２０４−１，２０４−２をそなえて構成され、電源ユニット２０３と冷却ファン２０５−１とが第１筐体２０６−１に、又、マザーボード２０２と冷却ファン２０５−２とが第２筐体２０６−２にそれぞれ格納されている。
【０００８】
そして、このＰＯＳ端末２０１ｂにおいては、電源ユニット２０３等にそなえられた、温度センサ２０４−１により電源ユニット２０３内の温度を測定し、この温度センサ２０４−１の測定結果に基づいて冷却ファン２０５−１の制御を行なうとともに、マザーボード２０２等にそなえられた温度センサ２０４−２によりＣＰＵの温度を測定し、この温度センサ２０４−２の測定結果に基づいて冷却ファン２０５−２の制御を行なうことにより、ＣＰＵや電源ユニット２０３の温度がそれぞれ所定値以上にならないよう制御が行なわれている。
【０００９】
そして、このＰＯＳ端末２０１ｂにおいては、温度センサ２０４−１により電源ユニット２０３の温度が高温であることが検出された時に冷却ファン２０５−１を高速回転させることで、電源ユニット２０３の冷却を行ない、又、温度センサ２０４−２によりＣＰＵの温度が高温であることが検出された時に冷却ファン２０５−２を高速回転させることで、ＣＰＵの冷却を行なう。
【００１０】
上述の如く、ＰＯＳ端末２０１ａとＰＯＳ端末２０１ｂとでは、ハードウェア構成が異なるのでＢＩＯＳ設定も異なる。例えば、ＰＯＳ端末２０１ｂにおいては、ＣＰＵが高温となった時に、冷却ファン２０５−１を高速回転させてもＣＰＵの温度が低下することはなく、かえって冷却ファン２０５の騒音が大きくなるという不都合が生じるおそれがある。
【００１１】
従って、上述の如く複数の機種間で共通化された従来のマザーボード２０２をＰＯＳ端末に実装する場合には、その実装後に、ＢＩＯＳ設定をそのＰＯＳ端末のシステム構成に合わせて変更して、冷却ファンの回転数の制御手法等をそのＰＯＳ端末に合わせる必要があり、ＢＩＯＳ設定の変更作業が煩雑である他、この変更作業に関する費用が発生するという課題もある。
【００１２】
また、ＢＩＯＳ設定の変更作業を行なう作業者がオペレーションミス等により誤設定するおそれもあり、このようにＢＩＯＳ設定を誤設定してしまった場合には、ＰＯＳ端末が正常に動作しないという課題もある。
さらに、このような作業者による設定ミスを防止するために、作業手順書を作成することが有効であるが、ＰＯＳ端末のシステム構成毎に作業手順書を作成する必要があり煩雑である他、作成した作業手順書を管理する必要もあり煩雑である。
【００１３】
また、複数の機種で共通化された従来のマザーボードの管理に際して、マザーボードに対して、設定されるＢＩＯＳ設定毎に異なる図番を付すことにより、便宜上、別のマザーボードとして管理することが一般的に行なわれているが、ＰＯＳ端末の製造拠点や保守拠点において、これらのマザーボードをそれぞれ持つ必要があるため、マザーボードの管理工数や保守部品費用が増大するという課題もある。
【００１４】
本発明は、このような課題に鑑み創案されたもので、異なる機種間で共通化されたマザーボードを実装する作業時において、ＢＩＯＳ設定を手作業により機種毎に行なう必要をなくすことを目的とする。
【課題を解決するための手段】
【００１５】
このため、本発明のマザーボード（請求項１）は、構成が異なる複数の機種の電子装置のそれぞれに接続可能に構成されたマザーボードであって、該電子装置に関する設定処理を行なうための設定情報を保存する設定情報保存部と、該電子装置の機種を特定可能な識別情報を取得可能な識別情報取得部と、該電子装置の機種に応じて該設定情報を変更するための変更情報を保存する変更情報保存部と、該識別情報取得部によって取得された該識別情報と、該変更情報保存部に保存された該変更情報とに基づいて、該設定情報保存部に保存された設定情報を、当該マザーボードが取り付けられた該電子装置の機種に応じて変更する設定情報変更部と、該設定情報変更部によって変更された該設定情報に基づいて、該電子装置に関する該設定処理を行なう設定処理部とをそなえることを特徴としている。
【００１６】
また、本発明の情報処理装置（請求項２）は、装置本体と、該装置本体に取り付け可能に構成されるとともに、当該情報処理装置とは構成が異なる他の機種の情報処理装置の装置本体に対しても取り付け可能なマザーボードとをそなえた情報処理装置であって、該情報処理装置の機種を特定可能な識別情報を保持する識別情報保持部をそなえるとともに、該マザーボードが、該装置本体に取り付けられた状態で、該識別情報保持部から該識別情報を取得可能な識別情報取得部と、該情報処理装置の機種に応じて該設定情報を変更するための変更情報を保存する変更情報保存部と、該識別情報取得部によって取得された該識別情報と、該変更情報保存部に保存された該変更情報とに基づいて、該設定情報保存部に保存された設定情報を、当該マザーボードが取り付けられた該情報処理装置の機種に応じて変更する設定情報変更部と、該設定情報変更部によって変更された該設定情報に基づいて、該情報処理装置に関する該設定処理を行なう設定処理部とをそなえることを特徴としている。
【００１７】
さらに、本発明の設定方法（請求項３）は、装置本体と、該装置本体に取り付け可能に構成されるとともに、互いに構成が異なる複数の機種の情報処理装置の装置本体に対しても取り付け可能に構成されたマザーボードとをそなえて構成された情報処理装置における設定方法であって、該情報処理装置の機種を特定可能な識別情報を取得する識別情報取得ステップと、該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、該設定情報変更ステップにおいて変更された該設定情報に基づいて、該情報処理装置に関する該設定処理を行なう設定処理ステップとをそなえることを特徴としている。
【００１８】
また、本発明の設定プログラム（請求項４）は、装置本体と、該装置本体に取り付け可能に構成されるとともに、互いに構成が異なる複数の機種の情報処理装置の装置本体に対しても取り付け可能に構成されたマザーボードとをそなえて構成されたコンピュータに、設定機能を実行させるための設定プログラムであって、該情報処理装置の機種を特定可能な識別情報を取得する識別情報取得ステップと、該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、該設定情報変更ステップにおいて変更された該設定情報に基づいて、該情報処理装置に関する該設定処理を行なう設定処理ステップとを、該コンピュータに実行させることを特徴としている。
【００１９】
さらに、本発明のコンピュータ読取可能な記録媒体（請求項５）は、上述した設定プログラムを記録したものである。
【発明の効果】
【００２０】
本発明によれば、以下の少なくともいずれか１つの効果ないし利点が得られる。
（１）識別情報と変更情報とに基づいて、設定情報を、そのマザーボードが取り付けられた情報処理装置の機種に応じて自動的に変更することにより、オペレータが情報処理装置における設定作業を行なう必要がなく、作業工数を低減でき経済的である他、利便性が高く、更に、人為的な設定ミスの発生を防止することができ、システムの誤動作等を防止して信頼性の高い情報処理装置を提供することができる。
【００２１】
（２）ハードウェアやソフトウェアの構成が異なる複数の機種の情報処理装置間において、ＢＩＯＳ設定等の設定情報が異なる場合でも、マザーボードをそのまま使用（共用）することができるので、マザーボードの管理工数や保守部品費用を低減することができ、経済的であるとともに利便性が高い。
（３）マザーボードを、複数の異なる（複数種類の）情報処理装置において容易に使用することができるので、素材流用性を向上させることができ経済的である。
【００２２】
（４）設定情報の変更を行なう旨の設定が行なわれている場合にのみ、設定情報の変更を行なうことにより、設定情報の変更を行なうか否かを任意に設定することができ、柔軟性が高い。
（５）設定情報における個々の項目毎に、変更を行なうか否かの設定を行なうことにより、柔軟性が高く、又、利便性が高い。
【発明を実施するための最良の形態】
【００２３】
以下、図面を参照して本発明の実施の形態を説明する。
（Ａ）一実施形態の説明
図１は本発明の一実施形態としてのマザーボードをそなえたＰＯＳ端末（情報処理装置，電子装置）の構成例を模式的に示す図、図２〜図４はそれぞれＰＯＳ端末の外観を示す斜視図である。なお、図２は一体型のＰＯＳ端末の外観を示す斜視図、図３，図４はいずれも分離型のＰＯＳ端末の外観を示す斜視図であり、又、図３は分離型のＰＯＳ端末をディスプレイ側から、又、図４は図３に示す分離型のＰＯＳ端末１０１ｂをその反対側からそれぞれ見た図である。
【００２４】
本発明の一実施形態のマザーボード１０２は、ＰＯＳ（Point Of Sales；販売時点情報管理）システムにおいて店舗等に設置されて用いられるＰＯＳ端末１０１ａ，１０１ｂに取り付けられる電子部品であって、構成が異なる機種であるＰＯＳ端末１０１ａ（図２参照）とＰＯＳ端末１０１ｂ（図３，図４参照）とのいずれに対しても取り付けて使用できるようになっている。すなわち、マザーボード１０２は、ＰＯＳ端末１０１ａとＰＯＳ端末１０１ｂとの間で共通化され、これらの複数の機種（本実施形態では２種類）のＰＯＳ端末１０１ａ，１０１ｂのそれぞれに取り付け可能に構成されている。
【００２５】
このマザーボード１０２は、図１に示すように、ＣＰＵ１１，チップセット１２およびＣＭＯＳメモリ１３をそなえて構成され、ＣＰＵ１１がＣＭＯＳメモリ１３や他の記憶装置（図示省略）に格納されたプログラムやＯＳ（Operating System）を実行することにより、ＰＯＳ端末１０１ａ，１０１ｂにおける種々の機能を実現させるようになっている。
ここで、図２に示すＰＯＳ端末１０１ａは、マザーボード１０２，電源ユニット１０３，電源ファン１０５−１および温度センサ１０４−１をそなえて構成され、電源ユニット１０３とマザーボード１０２とが同一の筐体１０６に搭載された一体型として構成されている。
【００２６】
このＰＯＳ端末１０１ａにおいては、温度センサ１０４−１はマザーボード１０２に搭載されたＣＰＵ１１（図１参照）付近の温度を測定するようになっており、電源ファン１０５−１はモータおよびファン（いずれも図示省略）をそなえて構成され、モータによりファンを回転駆動することにより、装置から排気および吸気口から吸気を行なって、ＣＰＵ，電源を含む装置の冷却を行なう。
【００２７】
また、電源ファン１０５−１は、ＣＰＵ１１による制御に基づいてそのモータの回転数を制御することができるようになっており、ＰＯＳ端末１０１ａの起動時等に、ＢＩＯＳ（Basic Input Output System）プログラムが電源ファン回転数制御機能を有効に設定することにより、温度センサ１０４−１の検出結果に基づいて電源ファン１０５−１の回転数が制御される。この電源ファン回転数制御機能においては、例えば、ＣＰＵ１１が高温時に、電源ファン１０５−１が高速回転するように制御が行なわれるようになっている。
【００２８】
そして、このＰＯＳ端末１０１ａにおいては、温度センサ１０４−１によりマザーボード１０２に搭載されたＣＰＵ１１付近の温度を測定し、この温度センサ１０４−１による測定結果に基づいてＣＰＵファン１０５−２の制御を行なうことにより、ＣＰＵ１１の温度が所定値以上にならないよう制御が行なわれるようになっている。
すなわち、ＰＯＳ端末１０１ａにおいては、電源ファン１０５−１のモータの回転数制御を行なうことによりＣＰＵ１１の冷却を行なう電源ファン回転数制御が行なわれ、例えば、ＣＰＵ１１の温度が高温の時に電源ファン１０５−１を高速回転させることでＣＰＵ１１の冷却が行なわれる。
【００２９】
図３および図４に示すＰＯＳ端末１０１ｂは、ＰＯＳ端末１０１ａとは異なる構成をそなえた機種であって、第１筐体１０６−１と第２筐体１０６−２との２つの筐体を連結されて構成されるとともに、マザーボード１０２，電源ユニット１０３，電源ファン１０５−１，ＣＰＵファン１０５−２，温度センサ１０４−１，１０４−２をそなえて構成され、電源ユニット１０３，温度センサ１０４−２および電源ファン１０５−１が第１筐体１０６−１に、又、マザーボード１０２，温度センサ１０４−１およびＣＰＵファン１０５−２が第２筐体１０６−２にそれぞれ格納されている。
【００３０】
なお、以下、図中、既述の符号と同一の符号は同一もしくは略同一の部分を示しているので、その詳細な説明は省略する。
温度センサ１０４−１はマザーボード１０２に搭載されたＣＰＵ１１付近の温度を、又、温度センサ１０４−２は電源ユニット１０３内の温度をそれぞれ測定するものである。電源ファン１０５−１はモータによりファンを回転駆動することにより電源ユニット１０３に対して送風を行ない、この電源ユニット１０３の冷却を行なうようになっている。又、ＣＰＵファン１０５−２はモータおよびファン（いずれも図示省略）をそなえて構成され、モータによりファンを回転駆動することによりＣＰＵ１１に対して送風を行ない、このＣＰＵ１１の冷却を行なうようになっている。
【００３１】
また、電源ファン１０５−１およびＣＰＵファン１０５−２は、それぞれＣＰＵ１１による制御に基づいてそのモータの回転数を制御することができるようになっている。
なお、このＰＯＳ端末１０１ｂにおいては、ＣＰＵ１１と電源ユニット１０３とは異なる筐体に格納されているので、ＣＰＵ１１の温度に応じて電源ファン１０５−１を制御する電源ファン回転数制御機能は無効に設定されるようになっている。
【００３２】
そして、このＰＯＳ端末１０１ｂにおいては、温度センサ１０４−１によりマザーボード１０２に搭載されたＣＰＵ１１付近の温度を測定し、この温度センサ１０４−１による測定結果に基づいてＣＰＵファン１０５−２の制御を行なうことによりＣＰＵ１１の冷却を行なう。又、温度センサ１０４−２により電源ユニット１０３内の温度を測定し、この温度センサ１０４−２による測定結果に基づいて電源ファン１０５−１の制御を行なうことにより電源ユニット１０３の冷却を行なうようになっている。
【００３３】
なお、以下、ＰＯＳ端末を示す符号としては、複数のＰＯＳ端末のうち１つを特定する必要があるときには符号１０１ａ，１０１ｂを用いるが、任意のＰＯＳ端末を指すときには符号１０１を用いる。
また、図１に示すように、ＰＯＳ端末１０１は、マザーボード１０２と装置本体２０とをコネクタ３０を介して通信可能に接続することにより構成されており、装置本体２０には個別ＩＤ設定部（識別情報保持部）２１がそなえられており、本実施形態においては、ＰＯＳ端末１０１ａ，１０１ｂのいずれにおいても、装置本体２０が個別ＩＤ設定部２１をそなえて構成されているのである。この個別ＩＤ設定部２１は、ＰＯＳ端末１０１の機種に対応する個別ＩＤ（識別情報）を設定・保持するものである。
【００３４】
本実施形態においては、ＰＯＳ端末１０１の機種として、一体型（ＰＯＳ端末１０１ａ）および分離型（ＰＯＳ端末１０１ｂ）の２種類のＰＯＳ端末１０１が用いられるようになっており、一体型のＰＯＳ端末１０１ａには個別ＩＤ＝０が、又、分離型のＰＯＳ端末１０１ｂには個別ＩＤ＝１がそれぞれ識別情報として予め設定されていて、これらの個別ＩＤにより、ＰＯＳ端末１０１の２つの機種を特定することができるようになっている。
【００３５】
図５および図６はそれぞれ本発明の一実施形態としてのマザーボード１０２をそなえたＰＯＳ端末１０１における個別ＩＤ設定部２１の構成例を模式的に示す図であって、図５は個別ＩＤ=０である一体型のＰＯＳ端末１０１ａの装置本体２０にそなえられる個別ＩＤ設定部２１の構成を示す図、図６は個別ＩＤ=１である分離型のＰＯＳ端末１０１ｂの装置本体２０にそなえられる個別ＩＤ設定部２１の構成を示す図である。
【００３６】
図５に示す個別ＩＤ設定部２１は、端子をグラウンド接続することにより“０（ＬＯ）”を個別ＩＤとして保持するように構成されており、図６に示す個別ＩＤ設定部２１は、端子を電源（図６に示す例では５Ｖ電源）に接続することにより“１（ＨＩ）”を個別ＩＤとして保持するように構成されている。
すなわち、本実施形態においては、個別ＩＤ設定部２１が、プリント基板上に固定された個別ＩＤとして構成されている。
【００３７】
コネクタ３０は、マザーボード１０２と装置本体２０とを通信可能に接続するものであって、例えば、ＧＰＩＯ（General Purpose Input Output）のインターフェースとして構成されている。
また、この装置本体２０の個別ＩＤ設定部２１に設定された個別ＩＤは、後述するチップセット１２を介してＣＰＵ１１（識別情報取得部１１１）によって取得されるようになっている。
【００３８】
ＣＭＯＳ（Complementary Metal Oxide Semiconductor）メモリ１３は、種々のプログラムやデータを読み取り可能に格納する不揮発性のメモリであって、ＣＭＯＳ設定情報（設定情報）１３１および変更情報１３２をその所定の領域に格納するようになっている。
ＣＭＯＳ設定情報１３１は、ＢＩＯＳプログラムによってＰＯＳ端末１０１の起動時に使用される設定情報（ＢＩＯＳ設定情報）であり、例えば、種々のＢＩＯＳ設定項目について、それぞれ設定値を対応付けることにより構成されている。
【００３９】
そしてＣＭＯＳメモリ１３は、ＰＯＳ端末１０１の設定処理を行なうための設定情報を保存する設定情報保存部として機能するのである。
変更情報１３２は、ＰＯＳ端末１０１の機種に応じてＣＭＯＳ設定情報１３１を変更するための情報であって、例えば、ＣＭＯＳ設定情報１３１におけるＰＯＳ端末１０１の機種に応じて変更が必要なＢＩＯＳ設定項目と、そのＢＩＯＳ設定項目における変更後の情報とをＰＯＳ端末１０１の機種を特定するための情報（例えば、個別ＩＤ）に対応させることにより構成されている（図１０，図１１参照）。
【００４０】
すなわち、変更情報１３２は、少なくとも、ＰＯＳ端末１０１の複数の機種間で異なるＢＩＯＳ設定項目について、ＰＯＳ端末１０１の機種に対応させて、その設定値（変更すべき値）を設定することにより構成されている。
例えば、ＰＯＳ端末１０１ａとＰＯＳ端末１０１ｂとでは、上述の如く、電源ファン回転数制御機能において異なっているので、ＰＯＳ端末１０１ａ（個別ＩＤ＝１）は電源ファン回転数制御機能を“有効”にする一方で、ＰＯＳ端末１０１ｂ（個別ＩＤ＝０）は電源ファン回転数制御機能を“無効”にする旨の情報が、変更情報１３２として用いられる。電源ファン回転数制御機能とは、ＣＰＵ温度による電源ファンの回転数を制御する機能をいう。ＰＯＳ端末１０１ｂにおいては電源温度により電源ファンの回転数は制御されるようになっている。
【００４１】
なお、変更情報１３２として、上述の如き情報をどのような形式で保存するかは、既知の手法を用いて任意に実施することができる。
そしてＣＭＯＳメモリ１３は、ＰＯＳ端末１０１の機種に応じて設定情報を変更するための変更情報を保存する変更情報保存部として機能するのである。
ＣＰＵ１１は、ＲＯＭやＲＡＭ，ＨＤＤ等の記憶装置（いずれも図示省略）から読み出したプログラムやＯＳ（Operating System）を実行することにより、ＰＯＳ端末１０１に種々の機能を実現させるものであって、ＰＯＳ端末１０１の起動時においては、ＢＩＯＳプログラム（設定プログラム）を実行することにより、識別情報取得部１１１，設定情報変更部１１２および設定処理部１１３として機能するようになっている。
【００４２】
なお、ＢＩＯＳプログラムは、ＰＯＳ端末１０１における種々の設定を行なうためのプログラムであり、一般に、ＢＩＯＳ  ＲＯＭや不揮発性メモリ等における所定の領域に格納されるようになっている。
また、識別情報取得部１１１，設定情報変更部１１２および設定処理部１１３としての機能を実現するためのＢＩＯＳプログラム（設定プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ等），磁気ディスク，光ディスク，光磁気ディスク等の、コンピュータ読取可能な記録媒体に記録された形態で提供される。そして、ＰＯＳ端末１０１（情報処理装置，コンピュータ）はその記録媒体からプログラムを読み取ってＢＩＯＳメモリ等の内部記憶装置に転送し格納して用いる。又、そのＢＩＯＳプログラムを、例えば磁気ディスク，光ディスク，光磁気ディスク等の記憶装置（記録媒体）に記録しておき、その記憶装置から通信経路を介してコンピュータに提供するようにしてもよい。
【００４３】
識別情報取得部１１１，設定情報変更部１１２および設定処理部１１３としての機能を実現する際には、内部記憶装置（ＢＩＯＳ  ＲＯＭや不揮発性メモリ等）に格納されたＢＩＯＳプログラムがコンピュータのマイクロプロセッサ（本実施形態ではＣＰＵ１１）によって実行される。
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ１１等のマイクロプロセッサと、記録装置に記録されたＢＩＯＳプログラム（コンピュータプログラム）を読み取るための手段とをそなえており、本実施形態においては、ＰＯＳ端末１０１がコンピュータとしての機能を有しているのである。
【００４４】
さらに、本実施形態における記録媒体としては、上述したフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ等），磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００４５】
識別情報取得部１１１は、装置本体２０に取り付けられた状態で、この装置本体２０から、そのＰＯＳ端末１０１の機種を特定可能な個別ＩＤを取得するものであって、装置本体２０の個別ＩＤ設定部２１に設定された個別ＩＤを取得するようになっている。
具体的には、識別情報取得部１１１は、ＧＰＩＯ等のチップセット１２の機能を用いて、コネクタ３０を介して個別ＩＤ設定部２１から個別ＩＤを取得するようになっている。なお、チップセット１２の機能を用いて装置本体２０に設定された情報を取得することは、既知の種々の手法を用いて実現することができるものであり、その詳細については省略する。
【００４６】
設定情報変更部１１２は、識別情報取得部１１１によって取得された個別ＩＤと、ＣＭＯＳメモリ１３に保存された変更情報１３２とに基づいて、ＣＭＯＳメモリ１３に保存されたＣＭＯＳ設定情報１３１を、そのマザーボード１０２が取り付けられたＰＯＳ端末１０１の機種に応じて自動的に変更するものである。
具体的には、設定情報変更部１１２は、ＣＭＯＳメモリ１３に格納された変更情報１３２を参照して、ＣＭＯＳ設定情報１３１における少なくとも一部のＢＩＯＳ設定項目を、そのＰＯＳ端末１０１の機種に合わせて、変更（書き換え）するようになっている。
【００４７】
なお、この設定情報変更部１１２によって変更されたＣＭＯＳ設定情報１３１は、ＣＭＯＳメモリ１３に保存（上書き保存）してもよく、又、ＣＭＯＳメモリ１３に保存することなく、ＢＩＯＳプログラムにより使用された後に廃棄してもよく、種々変形して実施することができる。
設定処理部１１３は、ＣＭＯＳ設定情報１３１に基づいて、ＰＯＳ端末１０１におけるハードウェアおよびソフトウェアに関する種々の設定を行なうものであり、設定情報変更部１１２によって変更されたＣＭＯＳ設定情報１３１に基づいて、ＰＯＳ端末１０１に関する設定処理を行なうようになっている。
【００４８】
上述の如く構成された、本発明の一実施形態としてのマザーボード１０２をそなえたＰＯＳ端末１０１における起動時の処理を、図７に示すフローチャート（ステップＡ１０〜Ａ８０）に従って説明する。
ＰＯＳ端末１０１において電源投入やシステムリセット、もしくはシステムの再起動が行なわれると、ＢＩＯＳプログラムが実行・起動され（ステップＡ１０）、ＣＭＯＳメモリ１３から、ＰＯＳ端末１０１の起動に必要な各種データ（ＣＭＯＳデータ）が読み込まれる（ステップＡ２０）。
【００４９】
そして、識別情報取得部１１１が、装置本体２０の個別ＩＤ設定部２１から個別ＩＤを取得（リード）し（ステップＡ３０；識別情報取得ステップ）、この個別ＩＤの確認が行なわれる（ステップＡ４０）。
ここで、個別ＩＤが“０”である場合には（ステップＡ４０のＹＥＳルート参照）、そのマザーボード１０２がＰＯＳ端末１０１ａに取り付けられているので、設定情報変更部１１２が、ＣＭＯＳ設定情報１３１（ＣＭＯＳデータ）を取得するとともに、ＣＭＯＳメモリ１３に格納された変更情報１３２を参照して、ＣＭＯＳ設定情報１３１におけるＢＩＯＳ設定情報における、電源ファン回転数制御機能を“有効”に上書きする（ステップＡ５０；設定情報変更ステップ）。
【００５０】
その後、設定処理部１１３が、この設定情報変更部１１２によって変更されたＣＭＯＳ設定情報１０１により、各種ＢＩＯＳ機能の設定を行なう（ステップＡ７０；設定処理ステップ）。
一方、個別ＩＤが“１”である場合には（ステップＡ４０のＮＯルート参照）、そのマザーボード１０２がＰＯＳ端末１０１ｂに取り付けられているので、設定情報変更部１１２が、ＣＭＯＳ設定情報１３１（ＣＭＯＳデータ）を取得するとともに、ＣＭＯＳメモリ１３に格納された変更情報１３２を参照して、ＣＭＯＳ設定情報１３１におけるＢＩＯＳ設定情報における、電源ファン回転数制御機能を“無効”に上書きする（ステップＡ６０；設定情報変更ステップ）して、ステップＡ７０に移行する。
【００５１】
そして、ＢＩＯＳプログラムによる処理が終了した後に（ステップＡ８０）、ＯＳや各種プログラムが起動されることにより起動プロセスが完了し、その後、ＰＯＳ端末１０１としての各種機能が実現される。
このように、本発明の一実施形態としてのマザーボード１０２をそなえたＰＯＳ端末１０１によれば、設定情報変更部１１２が、識別情報取得部１１１によって取得された個別ＩＤと、ＣＭＯＳメモリ１３に保存された変更情報１３２とに基づいて、ＣＭＯＳ設定情報１３１を、そのマザーボード１０２が取り付けられたＰＯＳ端末１０１の機種に応じて自動的に変更することにより、オペレータがＰＯＳ端末１０１におけるＢＩＯＳ設定作業を行なう必要がなく、作業工数を低減でき経済的である他、利便性が高く、更に、人為的な設定ミスの発生を防止することができ、システムの誤動作等を防止して信頼性の高いＰＯＳシステムを提供することができる。
【００５２】
また、ハードウェアやソフトウェアの構成が異なる複数の機種のＰＯＳ端末１０１の間において、温度・電圧等にかかるハードウェアの異常監視条件等、ＢＩＯＳ設定が異なる場合でも、マザーボード１０２をそのまま使用（共用）することができるので、マザーボード１０２の管理工数や保守部品費用を低減することができ、経済的であるとともに利便性が高い。
【００５３】
さらに、マザーボード１０２を、複数の異なる（複数種類の）ＰＯＳ端末１０１において容易に使用することができるので、素材流用性を向上させることができ経済的である。
（Ｂ）変形例の説明
次に、本発明の一実施形態のマザーボード１０２の変形例として、ＰＯＳ端末１０１におけるディスプレイの設定変更を行なう例について説明する。
【００５４】
図８は本発明の一実施形態としてのマザーボード１０２をそなえたＰＯＳ端末１０１の変形例の構成を模式的に示す図である。
なお、図中、既述の符号と同一の符号は同一もしくは略同一の部分を示しているので、その説明は省略する。
本変形例においては、マザーボード１０２上にジャンパスイッチ２２１がそなえられ、このジャンパスイッチ２２１が、ＰＯＳ端末１０１の機種を特定可能な個別ＩＤ（識別情報）を保持する識別情報保持部として機能するようになっている。
【００５５】
そして、オペレータ等が、このマザーボード１０２におけるジャンパスイッチ２２１を、ＰＯＳ端末１０１の機種に合わせて設定した後に、ＰＯＳ端末１０１の装置本体に取り付けるようになっている。
具体的には、例えば、ジャンパスイッチ２２１は少なくとも１番〜３番の３本の信号ピン（以下、これらの信号ピンをそれぞれ１番ピン，２番ピンもしくは３番ピンという）をそなえて構成され、図２に示した一体型のＰＯＳ端末１０１ａにマザーボード１０２を取り付ける場合には、ジャンパスイッチ２２１において１番ピンと２番ピンとを結線（ショート）させ、又、図３および図４に示した分離型のＰＯＳ端末１０１ｂにマザーボード１０２を取り付ける場合には、ジャンパスイッチ２２１において２番ピンと３番ピンとを結線（ショート）させる。
【００５６】
なお、本変形例においてマザーボード１０２にそなえられるジャンパスイッチ２２１に既知の種々のジャンパスイッチを用いることができ、又、このジャンパスイッチ２２１における設定値の取得は、例えば、チップセット１２の機能によって実現可能であり、既知の種々の手法により実現することができるものである。
また、本変形例においては、ジャンパスイッチ２２１によって設定される個別ＩＤの有効にするか否かを任意に設定することができるようになっており、更に、ＣＭＯＳ設定情報における個々の項目毎に、この個別ＩＤの有効／無効を任意に設定することができるようになっている。
【００５７】
例えば、ＣＭＯＳメモリ１３における所定位置に、予め規定しておいた種々の値を設定し、この値に基づいて、種々の項目について個別ＩＤの有効／無効を任意に設定することができる。
図９は本発明の一実施形態の変形例のマザーボードをそなえたＰＯＳ端末における、ブートディスプレイに関するＣＭＯＳ設定情報の例を示す図である。
【００５８】
この図９に示す例においては、ＣＭＯＳメモリ１３における0x41のビット７〜５に、ブートディスプレイに関する種々の設定を行なっており、0x41のビット７〜５のビット列が0x11の場合にのみ、ブートディスプレイに関する個別ＩＤが有効となるようになっている。
そして、本変形例においては、ＣＭＯＳメモリ１３（0x41のビット７〜５の領域）が、設定情報変更部１１２により設定情報の変更を行なうか否かを設定可能な設定部として機能するようになっている。
【００５９】
また、本変形例においては、ＣＭＯＳメモリ１３における0x41のビット７〜５に、ＣＭＯＳ設定情報の項目の一つとしてブートディスプレイに関する種々の設定を行なう例について説明するが、ＣＭＯＳ設定情報における他の項目（設定項目；例えば、入力装置に関する設定）に関して、ＣＭＯＳメモリ１３における他の領域（例えば、0x42のビット７〜５等）に、設定情報の変更を行なうか否か、すなわち、個別ＩＤを有効にするか否か等の設定を行なってもよく、設定部において、ＣＭＯＳ設定情報における個々の項目毎に、変更を行なうか否かの設定を行なってもよいのである。
【００６０】
なお、「0x」は１６進数表記を示すプレフィックスであって、整数リテラルの頭に付すことで、その値を１６進数と見なすものとする。
この図９に示す例においては、ＣＭＯＳメモリ１３の0x41のビット７〜５からなるビット列が、“000”である場合には“VBIOS default（ＶＢＩＯＳの初期設定値）”が、“001”である場合には“ＣＲＴ”が、“010”である場合には“ＬＶＤＳ”が、“011”である場合には“ＣＲＴ＋ＬＶＤＳ”が、“100”である場合には“ＥＦＰ”が、“101”である場合には“ＣＲＴ＋ＥＦＰ”が、“111”である場合には“HW setting”が、それぞれ設定されていることを示している。なお、ＣＭＯＳメモリ１３の0x41のビット７〜５からなるビット列が“110”の場合に対しては定義が行なわれていない（NOT define）。
【００６１】
そして、ＣＭＯＳメモリ１３の0x41のビット７〜５からなるビット列が、“111”である場合に対して設定されている“HW setting”が、ジャンパスイッチ２２１によって設定される個別ＩＤが有効であり、この個別ＩＤと変更情報１３２とに基づいて、設定情報変更部１１２がＣＭＯＳ設定情報１３１の変更を行なうことを示している。すなわち、個別ＩＤに基づくＣＭＯＳ設定情報１３１の自動変更処理が行なわれる（有効である）ことを示しているのである。
【００６２】
さて、本変形例においては、ＰＯＳ端末１０１の機種（個別ＩＤ）により、ＣＭＯＳ設定情報における「CPU FAN alarm」と「PSU FAN alarm」とからなる２つのＢＩＯＳ設定項目と、ＶＢＩＯＳ（Video BIOS）の設定（「VBIOS setting」）の変更を行なう場合について説明する。
ここで、「CPU FAN alarm」はＣＰＵファン１０５−２の異常を検出した際における処理を示す情報であって、具体的には、分離型のＰＯＳ端末１０１ｂにおいては、ＣＰＵファン１０５−２の異常が検出された際には、システムの電源断（Shutdown）が行なわれる。又、一体型のＰＯＳ端末１０１ａにはＣＰＵファン１０５−２はそなえられていないので無効（Disable）が設定される。
【００６３】
また、「PSU FAN alarm」は電源ファン１０５−１の制御手法を示す情報であって、“Pattern#1”は、ＣＰＵ１１や電源ユニット１０３等にそれぞれそなえられた温度センサ１０４−１，１０４−２等の各検出結果に基づいて電源ファン１０５−１の制御を行なうことを示し、“Pattern#2”は、電源ユニット１０３にそなえられた温度センサ１０４−２の検出結果に基づいて電源ファン１０５−１の制御を行なうことを示している。
【００６４】
「VBIOS setting」はブートディスプレイの設定を示し、例えば、“２画面モード”もしくは“１画面モード”が選択されるようになっている。
図１０は本発明の変形例としてのマザーボード１０２をそなえたＰＯＳ端末１０１における変更情報１３２の例を示す図であり、個別ＩＤ有効時におけるＣＭＯＳ設定情報１３１のＢＩＯＳ設定項目の設定例を示している。
【００６５】
この図１０に示す例においては、個別ＩＤが有効の場合に、１番ピンと２番ピンとが結線されている場合（一体型のＰＯＳ端末１０１ａの場合）には、ＣＭＯＳ設定情報における「CPU FAN alarm」を“Disable”にするとともに、「PSU FAN alarm」を“Pattern#1”に設定することを示しており、又、２番ピンと３番ピンとが結線されている場合（分離型のＰＯＳ端末１０１ｂの場合）には、「CPU FAN alarm」を電源断（Shutdown）にするとともに、「PSU FAN alarm」を“Pattern#2”に設定することを示している。
【００６６】
また、図１１は本発明の変形例としてのマザーボードをそなえたＰＯＳ端末における変更情報１３２の例を示す図であり、個別ＩＤ有効時におけるＣＭＯＳ設定情報のＶＢＩＯＳの設定例を示す図である。
この図１１に示す例においては、個別ＩＤが有効の場合に、１番ピンと２番ピンとが結線されている場合（一体型のＰＯＳ端末１０１ａの場合）には、ＶＢＩＯＳの設定を“２画面モード”にし、２番ピンと３番ピンとが結線されている場合（分離型のＰＯＳ端末１０１ｂの場合）には、ＶＢＩＯＳの設定を“１画面モード”に設定することを示している。
【００６７】
本発明の一実施形態の変形例としてのマザーボードをそなえたＰＯＳ端末における起動時の処理を、図１２に示すフローチャート（ステップＢ１０〜Ｂ１２０）に従って説明する。
ＰＯＳ端末１０１において電源投入やシステムリセット、もしくはシステムの再起動が行なわれると、ＢＩＯＳプログラムが実行・起動され（ステップＢ１０）、ＣＭＯＳメモリ１３から、ＰＯＳ端末１０１の起動に必要な各種データ（ＣＭＯＳデータ）が読み込まれる（ステップＢ２０）。
【００６８】
そして、ＣＰＵ１１は、ＣＭＯＳメモリ１３における0x41のビット７〜５のビット列が“111”であるか否かを確認し（ステップＢ３０；確認ステップ）、このビット７〜５のビット列が“111”である場合には（ステップＢ３０のＹＥＳルート参照）、個別ＩＤに基づくＣＭＯＳ設定情報１３１の自動変更処理が有効であると判断して、次に、識別情報取得部１１１が、ジャンパスイッチ２２１の設定を確認する（ステップＢ４０；識別情報取得ステップ）。
【００６９】
ここで、ジャンパスイッチ２２１において、１番ピンと２番ピンとが結線されている場合には（ステップＢ４０の“1-2 short”ルート参照）、設定情報変更部１１２は、本マザーボード１０２が一体型のＰＯＳ端末１０１ａに取り付けられたと判断して、変更情報１３２に従って、ＣＭＯＳ設定情報１３１における「VBIOS setting」を“２画面モード”に設定する（ステップＢ５０；設定情報変更ステップ）。なお、ここでＣＭＯＳ設定情報１３１において“HW setting”は維持され、変更は行なわれない。
【００７０】
そして、ＣＰＵ１１は、ハードウェア監視モードが有効であるか否かを確認し（ステップＢ６０）、ハードウェア監視モードが有効である場合には（ステップＢ６０の“有効”ルート参照）、設定情報変更部１１２が、変更情報１３２を参照して、ＢＩＯＳ設定情報における「CPU FAN alarm」を“Disable”にするとともに、「PSU FAN alarm」を“Pattern#1”に設定する（ステップＢ７０；設定情報変更ステップ）。
【００７１】
その後、設定処理部１１３が、この設定情報変更部１１２によって変更されたＣＭＯＳ設定情報１０１により、各種ＢＩＯＳ機能の設定を行ない（ステップＢ１１０；設定処理ステップ）、ＢＩＯＳプログラムによる処理が終了した後に（ステップＢ１２０）、ＯＳや各種プログラムが起動されることにより起動プロセスが完了し、その後、ＰＯＳ端末１０１としての各種機能が実現される。
【００７２】
また、ジャンパスイッチ２２１において、２番ピンと３番ピンとが結線されている場合には（ステップＢ４０の“2-3 short”ルート参照）、設定情報変更部１１２は、本マザーボード１０２が分離型のＰＯＳ端末１０１ｂに取り付けられたと判断して、変更情報１３２に従って、ＣＭＯＳ設定情報１３１における「VBIOS setting」を“１画面モード”に設定する（ステップＢ８０；設定情報変更ステップ）。なお、ここでＣＭＯＳ設定情報１３１において“HW setting”は維持され、変更は行なわれない。
【００７３】
そして、ＣＰＵ１１は、ハードウェア監視モードが有効であるか否かを確認し（ステップＢ９０）、ハードウェア監視モードが有効である場合には（ステップＢ９０の“有効”ルート参照）、設定情報変更部１１２が、変更情報１３２を参照して、ＢＩＯＳ設定情報における「CPU FAN alarm」を“Shutdown”にするとともに、「PSU FAN alarm」を“Pattern#2”に設定し（ステップＢ１００；設定情報変更ステップ）、ステップＢ１１０に移行する。
【００７４】
一方、ＣＭＯＳメモリ１３における0x41のビット７〜５のビット列が“111”ではない場合や（ステップＢ３０のＮＯルート参照）、ハードウェア監視モードが無効である場合には（ステップＢ６０の“無効”ルートおよびステップＢ９０の“無効”ルート参照）、それ以上のＣＭＯＳ設定情報１３１の変更を行なうことなく、ステップＢ１１０に移行するのである。
【００７５】
このように、本発明の一実施形態の変形例としてのマザーボード１０２をそなえたＰＯＳ端末１０１においても、上述した一実施形態と同様の作用効果を得ることができる他、ＣＭＯＳメモリ１３における所定の領域（例えば、0x41のビット７〜５）に、ブートディスプレイに関する種々の設定を行ない、この0x41のビット７〜５のビット列が0x11の場合にのみ、ブートディスプレイに関する個別ＩＤが有効とすることにより、この個別ＩＤに基づくＣＭＯＳ設定情報１３１の自動変更処理を有効にすることができる。従って、ＣＭＯＳ設定情報１３１の自動変更を行なうか否かを任意に設定することができ、柔軟性が高い。
【００７６】
また、ＣＭＯＳ設定情報１３１における個々の項目毎に、個別ＩＤの有効／無効を任意に設定することができるので、柔軟性が高く、又、利便性が高い。
（Ｃ）その他
そして、本発明は上述した実施形態に限定されるものではなく、本発明の趣旨を逸脱しない範囲で種々変形して実施することができる。
【００７７】
例えば、上述した実施形態においては、変更情報１３２が、ＰＯＳ端末１０１の複数の機種間において異なるＢＩＯＳ設定項目についてのみ変更後の設定値をそなえて構成され、設定情報変更部１１２が、ＰＯＳ端末１０１の機種に合わせて、ＣＭＯＳ設定情報１３１における一部のＢＩＯＳ設定項目を変更しているが、これに限定されるものではなく、ＰＯＳ端末１０１の複数の機種のそれぞれに対して、全てのＢＩＯＳ設定項目にかかるＢＩＯＳ設定情報をＣＭＯＳ設定情報１３１としてそれぞれ用意しておき、変更情報１３２が、ＰＯＳ端末１０１の各機種に対応するＣＭＯＳ設定情報１３１をそれぞれ特定してもよく、これにより、設定情報変更部１１２が、ＰＯＳ端末１０１の機種に合わせてＣＭＯＳ設定情報１３１全体を変更してもよく、本発明の趣旨を逸脱しない範囲で種々変更することができる。
【００７８】
また、上述した実施形態においては、装置本体２０にそなえられた個別ＩＤ設定部２１が、プリント基板上に固定された個別ＩＤとして構成されているが、これに限定されるものではなく、個別ＩＤ設定部２１を、例えば、ディップスイッチ等の設定値を変更可能に構成された機器を用いて構成することにより、個別ＩＤを変更可能にすることができ、これにより、システムをより柔軟に構成することができる。
【００７９】
同様に、マザーボード１０２にそなえられた個別ＩＤ設定部２１についても、ディップスイッチ等の設定値を変更可能に構成された機器を用いて構成することができ、これにより、個別ＩＤを変更可能にすることができ、システムをより柔軟に構成することができる。
また、上述した変形例においては、ＣＭＯＳメモリ１３における所定位置（0x41のビット７〜５）の値が0x11の場合にのみ個別ＩＤが有効となるようになっているが、これに限定されるものではなく、個別ＩＤが有効であるか否かを示す設定を、ＣＭＯＳメモリ１３における0x41以外の位置に格納してもよく、又、0x11以外の設定値の場合に個別ＩＤを有効としてもよい。
【００８０】
さらに、個別ＩＤが有効であるか否かを示す設定を、上述の如きソフトウェア的手法によって実現するだけでなく、例えば、ジャンパスイッチやディップスイッチ等の種々のスイッチ等を用いて設定することにより、ハードウェアによって実現することもできる。
また、上述した変形例においては、マザーボード１０２にそなえられたジャンパスイッチ２２１により個別ＩＤを設定しているが、これに限定されるものではなく、他の種々のスイッチ等を用いて個別ＩＤを設定してもよい。
【００８１】
さらに、上述した実施形態およびその変形例においては、２つの機種のＰＯＳ端末１０１ａ，１０１ｂにおいてマザーボード１０２を共通化して使用する例について説明したが、これに限定されるものではなく、マザーボード１０２を３種類以上のＰＯＳ端末１０１で共通化して使用してもよい。
このように、マザーボード１０２を３種類以上のＰＯＳ端末１０１で共通化して使用する場合には、個別ＩＤのビット数を増やすことにより対応することができる。
【００８２】
図１３（ａ），（ｂ），（ｃ），（ｄ）は本発明の一実施形態としてのマザーボード１０２をそなえたＰＯＳ端末１０１における個別ＩＤ設定部２１の他の構成例を模式的に示す図である。これらの図１３（ａ），（ｂ），（ｃ），（ｄ）にそれぞれ示す個別ＩＤ設定部２１は、それぞれ２つの端子（２ビット）をそなえて構成され、これらの２つの端子のいずれか一方をグラウンド接続するとともに他方を電源に接続したり、両方の端子を同時にグラウンドもしくは電源に接続することにより、“０１”，“１０”，“１１”および“００”の４種類のうちいずれかに設定することにより、これらのうちいずれかの構成を重複することなく選択的に採用することにより、４つの機種のいずれかを表わすことができる。
【００８３】
このように、個別ＩＤ設定部２１においてビット数を適宜増やすことにより、任意の数の機種について、本願発明を適用することができる。
また、上述した実施形態およびその変形例においては、マザーボード１０２をＰＯＳ端末１０１の装置本体２０に接続し、このＰＯＳ端末１０１の設定を行なう例について説明しているが、これに限定されるものではなく、ＰＯＳ端末１０１に代えてＬＣＤ（Liquid Crystal Display），キーボード，プリンタ等の各種の電子装置であってもよく、マザーボード１０２にこれらの電子装置を接続する際の設定処理を行なってもよい。
【００８４】
これにより、これらの電子装置の接続時に、オペレータが設定作業を行なう必要がなく、作業工数を低減でき経済的である他、利便性が高く、更に、人為的な設定ミスの発生を防止することができ、システムの誤動作等を防止して信頼性の高いＰＯＳシステムを提供することができる。
なお、マザーボード１０２とこれらの電子装置とを、例えば、ＵＳＢ（Universal Serial Bus）を介して接続することにより、電子装置に種々の手法で設定された個別ＩＤをマザーボード１０２（識別情報取得部１１２）が容易に取得することができる。
【００８５】
また、上述した実施形態においては、温度制御に関する電源ファン回転数制御機能について説明するとともに、その変形例においては、ブートディスプレイに関する設定について説明しているが、これらの例に限定するものではなく、情報処理装置に関する種々の機能や設定（ＣＭＯＳ設定）について、適用することができる。
なお、本発明の各実施形態が開示されていれば、本発明を当業者によって実施・製造することが可能である。
【００８６】
（Ｄ）付記
（付記１）  構成が異なる複数の機種の電子装置のそれぞれに接続可能に構成されたマザーボードであって、
該電子装置に関する設定処理を行なうための設定情報を保存する設定情報保存部と、
該電子装置の機種を特定可能な識別情報を取得可能な識別情報取得部と、
該電子装置の機種に応じて該設定情報を変更するための変更情報を保存する変更情報保存部と、
該識別情報取得部によって取得された該識別情報と、該変更情報保存部に保存された該変更情報とに基づいて、該設定情報保存部に保存された設定情報を、当該マザーボードが取り付けられた該電子装置の機種に応じて変更する設定情報変更部と、
該設定情報変更部によって変更された該設定情報に基づいて、該電子装置に関する該設定処理を行なう設定処理部とをそなえることを特徴とする、マザーボード。
【００８７】
（付記２）  該電子装置が該識別情報保持部をそなえ、
該識別情報取得部が、当該マザーボードが該電子装置に取り付けられた状態で、該電子装置から該識別情報を取得することを特徴とする、付記１記載のマザーボード。
（付記３）  該識別情報を保持する識別情報保持部をそなえ、
該識別情報取得部が、該識別情報保持部から該識別情報を取得することを特徴とする、付記１記載のマザーボード。
【００８８】
（付記４）  該設定情報変更部により該設定情報の変更を行なうか否かを設定可能な設定部をそなえ、
該設定情報変更部が、該設定情報の変更を行なう旨の設定が該設定部において行なわれている場合にのみ、前記設定情報の変更を行なうことを特徴とする、付記１〜付記３のいずれか１項に記載のマザーボード。
【００８９】
（付記５）  該設定部において、該設定情報における個々の項目毎に、前記変更を行なうか否かの設定を行なうことを特徴とする、付記４記載のマザーボード。
（付記６）  装置本体と、該装置本体に取り付け可能に構成されるとともに、当該情報処理装置とは構成が異なる他の機種の情報処理装置の装置本体に対しても取り付け可能なマザーボードとをそなえた情報処理装置であって、
該情報処理装置の機種を特定可能な識別情報を保持する識別情報保持部をそなえるとともに、
該マザーボードが、
該装置本体に取り付けられた状態で、該識別情報保持部から該識別情報を取得可能な識別情報取得部と、
該情報処理装置の機種に応じて該設定情報を変更するための変更情報を保存する変更情報保存部と、
該識別情報取得部によって取得された該識別情報と、該変更情報保存部に保存された該変更情報とに基づいて、該設定情報保存部に保存された設定情報を、当該マザーボードが取り付けられた該情報処理装置の機種に応じて変更する設定情報変更部と、
該設定情報変更部によって変更された該設定情報に基づいて、該情報処理装置に関する該設定処理を行なう設定処理部とをそなえることを特徴とする、情報処理装置。
【００９０】
（付記７）  該装置本体が該識別情報保持部をそなえることを特徴とする、付記６記載の情報処理装置。
（付記８）  該識別情報取得部が、当マザーボードが該装置本体に取り付けられた状態で、該装置本体から該識別情報を取得することを特徴とする、付記７記載の情報処理装置。
【００９１】
（付記９）  該マザーボードが該識別情報保持部をそなえることを特徴とする、付記６記載の情報処理装置。
（付記１０）  該識別情報取得部が、該識別情報保持部から該識別情報を取得することを特徴とする、付記９記載の情報処理装置。
（付記１１）  該設定情報変更部により該設定情報の変更を行なうか否かを設定可能な設定部をそなえ、
該設定情報変更部が、該設定情報の変更を行なう旨の設定が該設定部において行なわれている場合にのみ、前記設定情報の変更を行なうことを特徴とする、付記６〜付記１０のいずれか１項に記載の情報処理装置。
【００９２】
（付記１２）  該設定部において、該設定情報における個々の項目毎に、前記変更を行なうか否かの設定を行なうことを特徴とする、付記１１記載の情報処理装置。
（付記１３）  装置本体と、該装置本体に取り付け可能に構成されるとともに、互いに構成が異なる複数の機種の情報処理装置の装置本体に対しても取り付け可能に構成されたマザーボードとをそなえて構成された情報処理装置における設定方法であって、
該情報処理装置の機種を特定可能な識別情報を取得する識別情報取得ステップと、
該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、
該設定情報変更ステップにおいて変更された該設定情報に基づいて、該情報処理装置に関する該設定処理を行なう設定処理ステップとをそなえることを特徴とする、設定方法。
【００９３】
（付記１４）  該設定情報変更ステップにおいて該設定情報の変更を行なうか否かを確認する確認ステップをそなえ、
該確認ステップにおいて、該設定情報の変更を行なう旨の設定が該設定ステップにおいて行なわれていることを確認された場合にのみ、設定情報変更ステップにおいて前記設定情報の変更を行なうことを特徴とする、付記１３記載の設定方法。
【００９４】
（付記１５）  該設定ステップにおいて、該設定情報における個々の項目毎に、前記変更を行なうか否かの設定を行なうことを特徴とする、付記１４記載の設定方法。
（付記１６）  装置本体と、該装置本体に取り付け可能に構成されるとともに、互いに構成が異なる複数の機種の情報処理装置の装置本体に対しても取り付け可能に構成されたマザーボードとをそなえて構成されたコンピュータに、設定機能を実行させるための設定プログラムであって、
該情報処理装置の機種を特定可能な識別情報を取得する識別情報取得ステップと、
該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、
該設定情報変更ステップにおいて変更された該設定情報に基づいて、該情報処理装置に関する該設定処理を行なう設定処理ステップとを、該コンピュータに実行させることを特徴とする、設定プログラム。
【００９５】
（付記１７）  該設定情報変更ステップにおいて該設定情報の変更を行なうか否かを確認する確認ステップを該コンピュータに実行させるとともに、
該確認ステップにおいて、該設定情報の変更を行なう旨の設定が行なわれていることを確認された場合にのみ、設定情報変更ステップにおいて前記設定情報の変更を行なうように該コンピュータに実行させることを特徴とする、付記１６記載の設定プログラム。
（付記１８）  該設定ステップを該コンピュータに実行させる際において、該設定情報における個々の項目毎に、前記変更を行なうか否かの設定を行なうことを特徴とする、付記１６又は付記１７記載の設定プログラム。
【００９６】
（付記１９）  装置本体と、該装置本体に取り付け可能に構成されるとともに、互いに構成が異なる複数の機種の情報処理装置に対しても取り付け可能に構成されたマザーボードとをそなえて構成されたコンピュータに、設定機能を実行させるための設定プログラムを記録したコンピュータ読取可能な記録媒体であって、
該設定プログラムが、
該情報処理装置の機種を特定可能な識別情報を取得する識別情報取得ステップと、
該識別情報取得ステップにおいて取得された該識別情報と、該情報処理装置の機種に応じて該設定情報を変更するための変更情報とに基づいて、設定情報保存部に保存された該情報処理装置の設定処理を行なうための設定情報を、当該マザーボードが取り付けられた該情報処理装置の機種に応じて変更する設定情報変更ステップと、
該設定情報変更ステップにおいて変更された該設定情報に基づいて、該情報処理装置に関する該設定処理を行なう設定処理ステップとを、該コンピュータに実行させることを特徴とする、設定プログラムを記録したコンピュータ読取可能な記録媒体。
【００９７】
（付記２０）
該設定プログラムが、
該設定情報変更ステップにおいて該設定情報の変更を行なうか否かを確認する確認ステップを該コンピュータに実行させるとともに、
該確認ステップにおいて、該設定情報の変更を行なう旨の設定が行なわれていることを確認された場合にのみ、設定情報変更ステップにおいて前記設定情報の変更を行なうように該コンピュータに実行させることを特徴とする、付記１９記載の設定プログラムを記録したコンピュータ読取可能な記録媒体。
【産業上の利用可能性】
【００９８】
例えば、パソコン，サーバ，ＡＴＭ（Automated Teller Machine；現金自動預入れ支払い機）等、マザーボードを搭載する、ＰＯＳ端末以外の種々の情報処理装置における、種々の設定処理にも適用できる。
【図面の簡単な説明】
【００９９】
【図１】本発明の一実施形態としてのマザーボードをそなえたＰＯＳ端末の構成例を模式的に示す図である。
【図２】ＰＯＳ端末の外観を示す斜視図である。
【図３】ＰＯＳ端末の外観を示す斜視図である。
【図４】ＰＯＳ端末の外観を示す斜視図である。
【図５】本発明の一実施形態としてのマザーボードをそなえたＰＯＳ端末における個別ＩＤ設定部の構成を模式的に示す図である。
【図６】本発明の一実施形態としてのマザーボードをそなえたＰＯＳ端末における個別ＩＤ設定部の構成を模式的に示す図である。
【図７】本発明の一実施形態としてのマザーボードをそなえたＰＯＳ端末における起動時の処理を説明するためのフローチャートである。
【図８】本発明の一実施形態としてのマザーボードをそなえたＰＯＳ端末の変形例を説明するための図である。
【図９】本発明の一実施形態の変形例のマザーボードをそなえたＰＯＳ端末における、ブートディスプレイに関するＣＭＯＳ設定情報の例を示す図である。
【図１０】本発明の変形例としてのマザーボードをそなえたＰＯＳ端末における変更情報の構成例を示す図である。
【図１１】本発明の変形例としてのマザーボードをそなえたＰＯＳ端末における変更情報１３２の例を示す図である。
【図１２】本発明の一実施形態の変形例としてのマザーボードをそなえたＰＯＳ端末における起動時の処理を、説明するためのフローチャートである。
【図１３】（ａ），（ｂ），（ｃ），（ｄ）は本発明の一実施形態としてのマザーボードをそなえたＰＯＳ端末における個別ＩＤ設定部の他の構成例を模式的に示す図である。
【図１４】ＰＯＳ端末の外観を示す斜視図である。
【図１５】ＰＯＳ端末の外観を示す斜視図である。
【図１６】ＰＯＳ端末の外観を示す斜視図である。
【符号の説明】
【０１００】
１１    ＣＰＵ
１２    チップセット
１３    ＣＭＯＳメモリ（設定情報保存部，変更情報保存部）
２０    装置本体
２１    個別ＩＤ設定部（識別情報保持部）
３０    コネクタ
１０１，１０１ａ，１０１ｂ    ＰＯＳ端末（電子装置，情報処理装置，コンピュータ）
１０２    マザーボード
１０３    電源ユニット
１０４−１，１０４−２    温度センサ
１０５−１    電源ファン
１０５−２    ＣＰＵファン
１０６    筐体
１０６−１    第１筐体
１０６−２    第２筐体
２２１    ジャンパスイッチ（識別情報設定部）
１１１    識別情報取得部
１１２    設定情報変更部
１１３    設定処理部
１３１    ＣＭＯＳ設定情報（設定情報）
１３２    変更情報
【図１】
2008186261.tif 000003
【図２】
2008186261.tif 000004
【図３】
2008186261.tif 000005
【図４】
2008186261.tif 000006
【図５】
2008186261.tif 000007
【図６】
2008186261.tif 000008
【図７】
2008186261.tif 000009
【図８】
2008186261.tif 000010
【図９】
2008186261.tif 000011
【図１０】
2008186261.tif 000012
【図１１】
2008186261.tif 000013
【図１２】
2008186261.tif 000014
【図１３】
2008186261.tif 000015
【図１４】
2008186261.tif 000016
【図１５】
2008186261.tif 000017
【図１６】
2008186261.tif 000018